(57)【特許請求の範囲】
【請求項１】
スイッチノブがスイッチ本体の被駆動部に配設されるスイッチを取付パネルに取り付けるスイッチの取り付け構造において、
前記取付パネルに挿通穴を形成すると共に、
前記挿通穴に挿通される筒状延出部と該筒状延出部から外側に延出形成される固定鍔部とが形成されたホルダを設け、
前記ホルダに前記スイッチ本体を取り付けると共に、前記被駆動部にスイッチノブを配設し、
前記スイッチノブ及び前記筒状延出部の双方を前記取付パネルの背面側から前記挿通穴に挿通し、前記固定鍔部を前記取付パネルの背面に固定したことを特徴とするスイッチの取り付け構造。
【請求項２】
請求項１記載のスイッチの取り付け構造を備えることを特徴とする電子機器。
【発明の詳細な説明】
【技術分野】
【０００１】
本発明はスイッチの取り付け構造及び電子機器に係り、特にスイッチノブを回転操作するスイッチに用いて好適なスイッチの取り付け構造及び電子機器に関する。
【背景技術】
【０００２】
例えば、電子機器においては、そのフロントパネルに電子機器を操作するための種々のスイッチが設けられている。具体的には、押圧操作することによりスイッチ動作を行うプッシュスイッチや、回転操作することによりチューニング等の操作を行うロータリスイッチ等がある。
【０００３】
通常、この種のスイッチは、被駆動部を有するスイッチ本体と、スイッチ操作時に操作されるスイッチノブとを具備した構成とされている。スイッチ本体はフロンとパネルに設けられており、またスイッチノブはスイッチ本体から突出した被駆動部（操作軸）に装着される。
【０００４】
また、スイッチ本体の取り付け構造としては、引用文献１の図５に示されるように、フロントパネルの前面に設けられる構造と、フロントパネルの背面側に配設されるものとがある。フロントパネルの前面にスイッチ本体を取り付ける構造では、スイッチノブはスイッチ本体から突出した操作軸に直接取り付けられる。これに対し、フロントパネルの背面にスイッチ本体を取り付ける構造では、フロントパネルに操作軸を挿通する挿通孔を形成し、この挿通孔を介してフロントパネルの前面に突出した操作軸にスイッチノブを取り付ける構造とされていた。
【発明の開示】
【発明が解決しようとする課題】
【０００５】
しかしながら、フロントパネルの前面にスイッチ本体を設ける構成では、スイッチ本体の配線をフロントパネルを介して内部の回路基板に接続する必要があり、配線の接続構造が面倒となる。また、フロントパネルの前面にスイッチ本体が突出し、更にその前面にスイッチノブが突出する構成となるため、電子機器のデザイン上問題となる。
【０００６】
また、従来のフロントパネルの背面にスイッチ本体を取り付ける構造では、スイッチをフロントパネルに取り付ける作業としては、先ずスイッチ本体をフロントパネルに取り付け、その後に挿通孔からフロントパネルの前面に突出した操作軸にスイッチノブを取り付ける必要があった。また、メンテナンス時等においてスイッチをフロントパネルから取り外すには、先ずスイッチノブを操作軸から取り外し、その後にスイッチ本体をフロントパネルから取り外す必要があった。このため、従来の取り付け構造では、フロントパネルに対しするスイッチの取り付け及び取り外しが面倒であるという問題点があった。
【０００７】
本発明は上記の点に鑑みてなされたものであり、取付パネルに対するスイッチの装着脱を容易に行いうるスイッチの取り付け構造及び電子機器を提供することを目的とする。
【課題を解決するための手段】
【０００８】
上記の課題を解決するために本発明では、次に述べる各手段を講じたことを特徴とするものである。
【０００９】
請求項１記載の発明は、
スイッチノブがスイッチ本体の被駆動部に配設されるスイッチを取付パネルに取り付けるスイッチの取り付け構造において、
前記取付パネルに挿通穴を形成すると共に、
前記挿通穴に挿通される筒状延出部と該筒状延出部から外側に延出形成される固定鍔部とが形成されたホルダを設け、
前記ホルダに前記スイッチ本体を取り付けると共に、前記被駆動部にスイッチノブを配設し、
前記スイッチノブ及び前記筒状延出部の双方を前記取付パネルの背面側から前記挿通穴に挿通し、前記固定鍔部を前記取付パネルの背面に固定したことを特徴とするものである。
また、請求項２記載の発明に係る電子機器は、
請求項１記載のスイッチの取り付け構造を備えることを特徴とするものである。
【００１０】
上記発明によれば、取付パネルに形成された挿通穴は、スイッチノブを挿通可能な構成とされており、またスイッチノブが装着されたスイッチはスイッチノブが挿通穴内に操作可能に位置した状態で取付パネルの背面に固定される。よって、スイッチノブを装着した状態でこのスイッチを取付パネルに固定することができるため、スイッチの取り付け作業の簡単化を図ることができる。また、スイッチを取付パネルに固定する際、またメンテナンス等によりスイッチを取付パネルから取り外す際に、スイッチノブを被駆動部から外す必要がないため、スイッチノブと被駆動部との装着力が経時的に低下するようなこともない。
【００１４】
また、ホルダに形成された筒状延出部が挿通穴に挿通されるため、挿通穴は筒状延出部に塞がれた構成となるため、挿通穴をスイッチノブに対応させて比較的大きな形状の穴としても、この挿通穴から取付パネル内に塵埃が侵入するのを抑制することができる。
【発明の効果】
【００１５】
本発明によれば、スイッチノブを装着した状態でこのスイッチを取付パネルに固定することができるため、スイッチの取り付け作業の簡単化を図ることができる。また、スイッチを取付パネルに固定する際、またメンテナンス等によりスイッチを取付パネルから取り外す際に、スイッチノブを被駆動部から外す必要がないため、スイッチノブと被駆動部との装着力が経時的に低下することを防止できる。
【発明を実施するための最良の形態】
【００１６】
次に、本発明を実施するための最良の形態について図面と共に説明する。
【００１７】
図１は、本発明の一実施例であるスイッチの取り付け構造を適用した電子機器１０の正面を示している。電子機器１０は例えばチューナ装置であり、機器本体１１のフロントパネル１３に表示部１４、スイッチ１５，１６、ドアパネル１２等を設けた構成とされている。
【００１８】
ドアパネル１２は、フロントパネル１３に形成された開口部（図に現れず）を覆うよう設けられている。通常使用しないスイッチや記録メディアが挿入脱されるスロット部等は、フロントパネル１３に形成された開口部内に配設することが行われている。ドアパネル１２はこの開口部に装着され、上記のスイッチやスロット部の不使用時においては、ドアパネル１２により開口部を覆い、外部から開口部の内部が見えないようにしている。
【００１９】
表示部１４は液晶表示装置で、電子機器１０の操作に必要な各種情報が表示される。スイッチ１６はモードの選択スイッチであり、押圧操作することにより選択的にモード切り換えが行える構成となっている。
【００２０】
スイッチ１５は選局用のスイッチであり、本発明に係るスイッチの取り付け構造を適用してフロントパネル１３に取り付けられている。以下、このスイッチ１５の取り付け構造について説明する。図２及び図３は、スイッチ１５をフロントパネル１３に取り付ける取付構造を示す分解斜視図及び断面図である。
【００２１】
フロントパネル１３（請求項に記載の取付パネルに相当する）は機器本体１１の正面部分に配置されており、スイッチ１５の配設位置に挿通穴１９が形成されている。この挿通穴１９の直径は、従来のスイッチ本体に設けられた操作軸を挿通する穴に比べ、大きな直径とされている。
【００２２】
具体的には、この挿通穴１９は、後述するスイッチノブ２１の直径、またスイッチホルダ２２を構成する筒状延出部３１の直径よりも大きな直径を有するよう形成されている。即ち、スイッチノブ２１及びスイッチホルダ２２の筒状延出部３１は、この挿通穴１９内に挿通しうる構成とされている。
【００２３】
また、フロントパネル１３の背面で、挿通穴１９の近傍位置にはネジ孔３８が形成されている（図３参照）。このネジ孔３８は、後述するようにスイッチホルダ２２をフロントパネル１３に固定するのに用いられる。
【００２４】
一方、スイッチ１５は、大略するとスイッチ本体２０、スイッチノブ２１、及びスイッチホルダ２２等により構成されている。
【００２５】
スイッチ本体２０は、例えばロータリエンコーダであり、基部２４の下面には図示しない回路基板にはんだ付けされる複数の端子２７が設けられている。また、基部２４の上面には、被駆動部となる操作軸２５が設けられている。
【００２６】
この操作軸２５は基部２４から突出しており、その一部は半月状に切り欠いた形状とされている。この操作軸２５は回転する構成であり、後述するスイッチノブ２１を介して操作者が操作軸２５を回転操作することにより、スイッチ本体２０は選局処理を行う。更に、基部２４の上面には、舌片部２６が突設されている。
【００２７】
スイッチノブ２１は樹脂形成されたものであり、有底筒状のノブ本体２８を有している。このスイッチノブ２１は、図２及び図３に加えて図５に示すように、ノブ本体２８の表面（フロント側）に複数の操作用リブ２９が形成されている。この操作用リブ２９を形成することにより、スイッチノブ２１の操作性の向上を図っている。
【００２８】
また、ノブ本体２８の背面には、固定軸３０が突出するよう形成されている。この固定軸３０の内部は半月状の圧入孔が形成されている。この圧入孔の形状は、操作軸２５の形状と対応している。よって、固定軸３０を操作軸２５に圧入することにより、スイッチノブ２１はスイッチ本体２０に固定（装着）される。
【００２９】
スイッチホルダ２２は樹脂成形されたものであり、図２及び図３に加えて図４に示すように、大略すると筒状延出部３１と固定鍔部３３とにより構成されている。筒状延出部３１は、前記したように外径がフロントパネル１３に形成された挿通穴１９に挿通しうる大きさとされている。即ち、筒状延出部３１の外径（直径）は、挿通穴１９の直径より若干小さい寸法とされている。
【００３０】
この筒状延出部３１の内部の略中央位置には、固定板部３２（請求項に記載の第１の固定部に相当する）が形成されている。この固定板部３２は、中央に挿通孔３４が形成されると共に、その側部に固定用孔３５が形成された構成とされている。
【００３１】
前記したスイッチ本体２０は、このスイッチホルダ２２に形成された固定板部３２に固定される。具体的には、スイッチ本体２０は、操作軸２５を挿通孔３４に挿通すると共に舌片部２６を固定用孔３５に挿通し、固定用孔３５から突出した舌片部２６を折曲形成することにより固定板部３２（スイッチホルダ２２）に固定される。
【００３２】
固定鍔部３３（請求項に記載の第２の固定部に相当する）は、筒状延出部３１の下部より外側に延出するよう形成されている。この固定鍔部３３は、ネジ３７を挿通する挿通孔３６が形成されている。また、挿通孔３６の形成位置は、前記したフロントパネル１３に形成されたネジ孔３８の形成位置と対応するよう構成されている。
【００３３】
上記構成において、スイッチ１５をフロントパネル１３に取り付けるには、前述したように舌片部２６を固定用孔３５に挿通し固定用孔３５から突出した部分を折曲形成することにより、スイッチ本体２０をスイッチホルダ２２に固定する。続いて、スイッチホルダ２２の固定板部３２から突出している操作軸２５にスイッチノブ２１を固定する。
【００３４】
具体的には、操作軸２５にスイッチノブ２１の固定軸３０を圧入する。これにより、スイッチ本体２０、スイッチノブ２１、及びスイッチホルダ２２は一体化し、以後はスイッチ本体２０、スイッチノブ２１、及びスイッチホルダ２２（即ち、スイッチ１５）を一体的に取り扱うことができる。
【００３５】
次に、スイッチノブ２１及び筒状延出部３１をフロントパネル１３に形成された挿通穴１９に挿通し、固定鍔部３３をフロントパネル１３の背面に当接させると共に、固定鍔部３３に形成されている挿通孔３６とネジ孔３８との位置あわせを行う。続いて、ネジ３７を固定鍔部３３の背面側から挿通孔３６を挿通してネジ孔３８に螺着する。
【００３６】
これにより、スイッチホルダ２２はフロントパネル１３に固定され、これによりスイッチ１５はフロントパネル１３に取り付けられる。また、この取り付けられた状態において、筒状延出部３１及びスイッチノブ２１は挿通穴１９内に挿通され、またスイッチノブ２１はフロントパネル１３の表面から少なくとも操作を行いうる量だけ突出するよう構成されている。
【００３７】
上記のように本実施例に係る取り付け構造では、スイッチ本体２０、スイッチノブ２１、及びスイッチホルダ２２（即ち、スイッチ１５）を一体化した状態で、フロントパネル１３の背面からフロントパネル１３に対して取り付けを行うことができる。よって、スイッチノブ２１を装着した状態で、このスイッチ１５をフロントパネル１３に固定することができるため、スイッチ１５の取り付け作業の簡単化を図ることができる。
【００３８】
また、スイッチ１５をフロントパネル１３に固定する際、またメンテナンス等によりスイッチ１５をフロントパネル１３から取り外す際、従来のようにその度毎にスイッチノブ２１をスイッチ本体２０から外す必要がなくなるため、メンテナンス性の向上を図ることができる。更に、操作軸２５と固定軸３０は、一旦圧入した後は取り外す必要がないため、スイッチノブ２１とスイッチ本体２０との間に経時的な装着力の低下が発生するようなこともない。
【００３９】
また、本実施例では、スイッチホルダ２２にスイッチ本体２０を固定する固定板部３２と、フロントパネル１３の背面に固定するための固定鍔部３３を共に設けたことにより、固定鍔部３３とフロントパネル１３との固定位置を適宜選定することにより、固定位置に自由度をもってスイッチ本体２０をフロントパネル１３に固定することが可能となる。よって、スイッチノブ２１が挿通穴挿通穴１９内に位置した状態で、スイッチ本体２０を確実にフロントパネル１３に固定することができる。
【００４０】
更に、本実施例ではスイッチホルダ２２に形成された筒状延出部３１が挿通穴１９に挿通されるため、挿通穴１９は筒状延出部３１により塞がれた構成となる。このため、挿通穴１９をスイッチノブ２１の直径に対応させて大きな形状の穴としても、この挿通穴１９からフロントパネル１３の内部に塵埃が侵入するのを抑制することができる。
【図面の簡単な説明】
【００４１】
【図１】図１は、本発明の一実施例であるスイッチの取り付け構造を適用した電子機器を示す正面図である。
【図２】図２は、本発明の一実施例であるスイッチの取り付け構造の分解斜視図である。
【図３】図３は、本発明の一実施例であるスイッチの取り付け構造の分解断面である。
【図４】図４は、スイッチホルダを説明するための図であり、図４（Ａ）は平面図、図４（Ｂ）は正面図、図４（Ｃ）は図４（Ａ）におけるＡ−Ａ線に沿う断面図である。
【図５】図５は、スイッチノブを説明するための図であり、図５（Ａ）は正面図、図５（Ｂ）は右側面図、図５（Ｃ）は背面図、図５（Ｄ）は図５（Ａ）におけるＢ−Ｂ線に沿う断面図である。
【符号の説明】
【００４２】
１０  電子機器
１１  機器本体
１３  フロントパネル
１５  スイッチ
１９  挿通穴
２０  スイッチ本体
２１  スイッチノブ
２２  スイッチホルダ
２５  操作軸
２６  舌片部
２８  ノブ本体
２９  操作用リブ
３０  固定軸
３１  筒状延出部
３２  固定板部
３３  固定鍔部
３４  挿通孔
３５  固定用孔
３６  挿通孔
３７  ネジ
３８  ネジ孔
【図１】
0004645370.tif 000002
【図２】
0004645370.tif 000003
【図３】
0004645370.tif 000004
【図４】
0004645370.tif 000005
【図５】
0004645370.tif 000006